【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
対象の応答を決定するためのシステムであって、
装着者の頭部に装着されるように構成された装置と、
前記装着者の第１の眼のアイトラッキング画像をキャプチャするために前記第１の眼に向けられた前記装置に取り付けられたアイトラッキングカメラと、
前記アイトラッキングカメラ画像内で前記第１の眼の解剖学的構造を特定するために前記アイトラッキングカメラに連結された１つ以上のプロセッサとを備え、前記１つ以上のプロセッサは、前記外部事象に対する前記第１の眼、眼瞼、および瞳孔の応答の大きさおよび反応時間の少なくとも１つを決定するために、外部事象の基準時間を特定し前記基準時間後に前記アイトラッキング画像を分析するように構成されている、
システム。
【請求項２】
前記１つ以上のプロセッサは、前記アイトラッキング画像からのａ）１次元以上の次元における前記瞳孔および虹彩の少なくとも１つの位置、ｂ）前記瞳孔の大きさ、ｃ）前記瞳孔の形状、およびｄ）前記眼瞼の位置、から選択された２つ以上のパラメータを特定するように構成され、前記１つ以上のプロセッサは、前記装着者の応答の大きさおよび反応時間の少なくとも１つを決定するために前記２つ以上のパラメータの変化を検出する、請求項１に記載のシステム。
【請求項３】
前記装着者の環境を閲覧し前記環境のシーンカメラ画像をキャプチャするために前記装着者から離れる向きに前記装置に取り付けられたシーンカメラをさらに備え、前記１つ以上プロセッサは前記シーンカメラ画像において検出された変化から基準時間を特定する、請求項１に記載のシステム。
【請求項４】
対象の応答を決定するためのシステムであって、
装着者の頭部に装着されるように構成された装置と、
前記装着者の第１の眼のアイトラッキング画像をキャプチャするために前記第１の眼に向けられた前記装置に取り付けられたアイトラッキングカメラと、
前記装着者の環境を閲覧し前記環境のシーンカメラ画像をキャプチャするために前記装着者から離れる向きに前記装置に取り付けられたシーンカメラと、
前記アイトラッキング画像における前記第１の眼の解剖学的構造を特定するために前記アイトラッキングカメラに連結され、前記シーンカメラ画像から前記装着者の前記環境における所定の事象を特定するために前記シーンカメラに連結された、１つ以上のプロセッサと、を備え、前記１つ以上のプロセッサは、前記所定の事象に対する前記装着者の応答の大きさおよび反応時間の少なくとも１つを決定するために、前記所定の事象が前記シーンカメラ画像から特定された基準時間を特定し前記アイトラッキング画像において特定された前記解剖学的特徴の１つ以上の変化をモニタリングするように構成されている、
システム。
【請求項５】
前記１つ以上のプロセッサは、前記シーンカメラ画像から前記シーンカメラの視野内で対象の位置を特定するために対象認識アルゴリズムを用い、前記１つ以上のプロセッサは、所定の対象が前記シーンカメラ画像における所定の場所に存在している時間、または存在していない時間に基づいて基準時間を特定する、請求項１乃至４のいずれか１項に記載のシステム。
【請求項６】
前記対象認識アルゴリズムは前記対象の形状、前記対象の色、及び前記対象の輝度の１又はそれ以上に少なくとも部分的に基づいて前記対象を特定する、請求項５に記載のシステム。
【請求項７】
前記１つ以上のプロセッサは、基準時間を生成するために、前記シーンカメラ画像における選択された位置における対象の有無を特定するバイナリ信号を生成するように構成されている、請求項５に記載のシステム。
【請求項８】
前記１つ以上のプロセッサは、前記装着者の頭部の動きを決定するために、シーンの動きに関して前記シーンカメラ画像を分析するように構成されている、請求項１乃至７のいずれか１項に記載のシステム。
【請求項９】
前記装着者の環境内で音を検出するためのマイクロフォンをさらに備え、前記１つ以上のプロセッサは、前記装着者の環境からの所定の音を基準時間として特定するために前記マイクロフォンに連結されている、請求項１乃至８のいずれか１項に記載のシステム。
【請求項１０】
デジタル信号を生成するための音発生器をさらに備え、前記１つ以上のプロセッサは、前記音発生器の活性化を基準時間として特定するために前記音発生器に連結されている、請求項１乃至９のいずれか１項に記載のシステム。
【請求項１１】
アナログ信号を生成するための環境センサをさらに備え、前記１つ以上のプロセッサは、前記環境センサの活性化を基準時間として特定するために前記環境センサに連結されている、請求項１乃至１０のいずれか１項に記載のシステム。
【請求項１２】
前記１つ以上のプロセッサは、前記シーンカメラ画像から前記装着者の前記環境における対象を特定するために前記シーンカメラ画像をモニタリングするように構成され、前記１つ以上のプロセッサは、前記対象が前記シーンカメラ画像における所定の場所に存在または不在であるときを特定するために前記対象をモニタリングし、前記基準時間は前記対象が前記所定の場所に存在または不在であることを前記１つ以上のプロセッサが特定した時間である、請求項３又は４に記載のシステム。
【請求項１３】
既知の対象を前記それぞれの対象に関連する形状、色、および大きさの少なくとも１つにマッピングするテンプレートのデータベースをさらに備え、前記１つ以上のプロセッサは、前記シーンカメラ画像から特定された前記対象の前記形状、前記色、および前記大きさの少なくとも１つに基づいて前記対象を特定するために前記データベースに連結されている、請求項１２に記載のシステム。
【請求項１４】
ディスプレイを備える電子装置をさらに備え、前記１つ以上のプロセッサは、所定の画像が前記ディスプレイに表示されたときを特定するために前記シーンカメラ画像をモニタリングするように構成され、前記所定の画像が表示される初期時間は前記基準時間を含む、請求項３又は４に記載のシステム。
【請求項１５】
前記装着者の頭部の方向を提供するために前記装置に取り付けられたセンサをさらに備え、前記１つ以上のプロセッサは、前記所定の事象に対する前記装着者の頭部の応答の大きさおよび反応時間の少なくとも１つを決定するために、前記基準時間後に前記装着者の頭部の前記方向の変化をモニタリングするように前記センサに連結されている、請求項３又は４に記載のシステム。
【請求項１６】
前記１つ以上のプロセッサは、前記装着者の身体的状態または心理的状態の少なくとも１つを決定するために、前記アイトラッキング画像において特定された前記解剖学的特徴の１つ以上における前記変化に基づいて前記装着者の頭部の前記反応時間と前記装着者の前記反応時間とを比較するように構成されている、請求項１５に記載のシステム。
【請求項１７】
前記解剖学的特徴の１つ以上における前記変化は、前記第１の眼の前記瞳孔または前記虹彩の位置の変化、前記瞳孔の大きさの変化、および前記第１の眼の前記眼瞼の位置の変化、の少なくとも１つを含む、請求項３又は４に記載のシステム。
【請求項１８】
対象の応答を決定するためのシステムであって、
装着者の頭部に装着されるように構成された装置と、
前記装着者の第１の眼のアイトラッキング画像をキャプチャするために前記第１の眼に向けられた前記装置に取り付けられたアイトラッキングカメラと、
前記装着者の環境内で音を検出するためのマイクロフォンと、
前記アイトラッキング画像における前記第１の眼の解剖学的構造を特定するために前記アイトラッキングカメラに連結され、前記装着者の前記環境内において生成される所定の音を検出するために前記マイクロフォンに連結された、１つ以上のプロセッサと、を備え、前記１つ以上のプロセッサは、前記所定の音に対する前記装着者の応答の大きさおよび反応時間の少なくとも１つを決定するために、所定の音が検出された基準時間を特定し前記アイトラッキング画像において特定された前記解剖学的特徴の１つ以上の変化をモニタリングするように構成されている、
システム。
【請求項１９】
反応時間を決定するためのシステムであって、
装着者の頭部に装着されるように構成された装置と、
前記装着者の第１の眼のアイトラッキング画像をキャプチャするために前記第１の眼に向けられた前記装置に取り付けられたアイトラッキングカメラと、
前記装着者に向かって検出可能な信号を放出するための発生器と、
前記装着者の頭部の方向を提供するために前記装置に取り付けられたセンサと、
前記アイトラッキング画像における前記第１の眼の解剖学的構造を特定するために前記アイトラッキングカメラに連結され、前記装着者の頭部の前記方向をモニタリングするために前記センサに連結された、１つ以上のプロセッサと、を備え、前記１つ以上のプロセッサは、前記第１の眼の反応時間を決定するために前記発生器が活性化された基準時間を特定し前記基準時間後に前記アイトラッキング画像において特定された前記解剖学的特徴の１つ以上の変化をモニタリングするように構成され、前記装着者の頭部の反応時間を決定するために前記基準時間後に前記装着者の頭部の前記方向の変化をモニタリングする、
システム。
【請求項２０】
対象の応答を決定するための方法であって、
装着者の第１の眼に向けられたアイトラッキングカメラを備える装置を前記装着者の頭部にすることと、
基準時間を決定するために入力を利用することと、
前記アイトラッキングカメラにより取得されたアイトラッキングカメラ画像内で前記装置を装着する前記人物の解剖学的構造の位置を決定することと、
前記装着者の眼、眼瞼、および瞳孔の応答の大きさおよび反応時間の少なくとも１つを決定するために、前記基準時間と前記アイトラッキングカメラ画像から決定された前記位置とを用いることと、
を含む方法。
【請求項２１】
前記装置は前記装着者の環境のシーンカメラ画像を取得するために前記装着者から離れる向きにシーンカメラを備える、請求項２０に記載の方法。
【請求項２２】
マイクロフォン、デジタル信号、及びアナログ信号を生成する環境センサの少なくとも１つが基準時間入力として用いられる、請求項２１に記載の方法。
【請求項２３】
対象の応答を決定するための方法であって、
装着者から離れる向きにシーンカメラおよび前記装着者の第１の眼に向けられたアイトラッキングカメラを備える装置を前記装着者の頭部にすることと、
前記第１の眼の解剖学的構造を特定するために前記アイトラッキングカメラからのアイトラッキング画像をモニタリングすることと、
前記装着者の前記環境における所定の事象を特定するために前記シーンカメラからのシーンカメラ画像をモニタリングすることと、
所定の事象が前記シーンカメラ画像から特定された基準時間を特定することと、
前記所定の事象に対する前記装着者の応答の大きさおよび反応時間の少なくとも１つを決定するために前記アイトラッキング画像において特定された前記解剖学的特徴の１つ以上の変化をモニタリングすることと、
を含む方法。
【請求項２４】
前記シーンカメラ画像は前記装着者の前記環境における対象を特定するためにモニタリングされ、基準時間を特定することは前記対象が前記シーンカメラ画像における所定の場所に存在または不在であるときを特定することを含む、請求項２３に記載の方法。
【請求項２５】
前記対象は、既知の対象を前記それぞれの対象に関連する形状、色、および大きさの少なくとも１つにマッピングするテンプレートのデータベースにアクセスすることにより特定される、請求項２４に記載の方法。
【請求項２６】
ディスプレイを備える電子装置を提供することをさらに含み、前記シーンカメラ画像は所定の画像が前記ディスプレイ上に提示されるときを特定するためにモニタリングされ、前記所定の画像が表示される初期時間は前記基準時間を含む、請求項２３に記載の方法。
【請求項２７】
前記所定の事象に対する前記装着者の頭部の反応時間を決定するために前記基準時間後に前記装着者の頭部の方向をモニタリングすることと、前記装着者の身体的状態または心理的状態の少なくとも１つを決定するために前記アイトラッキング画像において特定された前記解剖学的特徴の１つ以上の変化に基づいて前記装着者の頭部の前記反応時間と前記装着者の前記反応時間とを比較することと、をさらに含む、請求項２３に記載の方法。
【請求項２８】
対象の応答を決定するための方法であって、
装着者の眼の少なくとも１つに向けられたアイトラッキングカメラを備える装置を前記装着者の頭部にすることと、
前記第１の眼の解剖学的構造を特定するために前記アイトラッキングカメラからのアイトラッキング画像をモニタリングすることと、
前記装着者の環境内で所定の事象を特定するために前記環境内の音をモニタリングすることと、
所定の音が前記環境内で検出された基準時間を特定することと、
前記所定の音に対する前記装着者の応答の大きさおよび反応時間の少なくとも１つを決定するために前記アイトラッキング画像において特定された前記解剖学的特徴の１つ以上の変化をモニタリングすることと、
を含む方法。